(57)【要約】      （修正有）【課題】ベルト保持具に関し、ベルトの厚みに対する許容性を向上できるばかりでなく、ベルトの緩みを防止できるようにしたものである。【解決手段】一対の連結部(40,50)の斜面(42,52)と、一対の連結部の中間に位置するバー(60)の斜面(62)で、ベルト(20)を通す一対の挿通路(11,12)を形成する。バーの上側の２点のエッジ(61)にベルトがそれぞれ引っ掛かり、一対の連結部の底の内側の２点のエッジ(41,51)にベルトがそれぞれ引っ掛かり、バーに形成された斜面と一対の連結部に形成された斜面により、バーの上側を通過させて一対の挿通路に通したベルトを、略Ω型に屈曲させる。また、先に通したベルトがバーの上側の２点のエッジに、折り返されて後に通したベルトが一対の連結部の底側の２点のエッジにそれぞれ引っ掛かるようにしても良い。【選択図】図１
2014083088.tif 000002
【特許請求の範囲】
【請求項１】
枠体の周囲の対向する一対の連結部の斜面と、前記一対の連結部の中間に位置するバーの斜面で、ベルトを通す一対の挿通路を形成し、
前記バーの上側の２点のエッジに前記ベルトがそれぞれ引っ掛かり、
前記一対の連結部の底の内側の２点のエッジに前記ベルトがそれぞれ引っ掛かり、
前記バーに形成された斜面と前記一対の連結部に形成された斜面により、前記バーの上側を通過させて前記一対の挿通路に通した前記ベルトを、略Ω型に屈曲させるようにしていることを特徴とするベルト保持具。
【請求項２】
請求項１に記載のベルト保持具であって、
前記ベルトが前記バーの上側を通過した後、折り返されて先に通したベルトに積み重ねられて前記バーの上側を再度、通過し、前記先に通したベルトが前記バーの前記上側の２点のエッジに、前記折り返されて後に通したベルトが前記一対の連結部の底側の前記２点のエッジにそれぞれ引っ掛かるようにしていることを特徴とするベルト保持具。
【請求項３】
請求項１又は請求項２に記載のベルト保持具であって、
前記バーの前記上側のエッジから前記連結部の底の内側のエッジまでの長さ方向に、距離を持ち、
前記距離は、前記バーの斜面と前記連結部の斜面までの長さ方向の距離より短いことを特徴とするベルト保持具。
【請求項４】
請求項１〜３のいずれか１項に記載のベルト保持具であって、
前記ベルトを前記枠体に対して略垂直にして当該ベルトを調整すると、当該ベルトが前記バーの斜面を滑りながら送り出すことができるようにしていることを特徴とするベルト保持具。
【発明の詳細な説明】
【技術分野】
【０００１】
この発明は、ベルト保持具に関し、ベルトの厚みに対する許容性を向上できるばかりでなく、ベルトの緩みを防止できるようにしたものである。
【背景技術】
【０００２】
従来、左右の側壁部と、左右の側壁部の両端部をそれぞれ連結する一対の連結部と、一対の連結部の中央に位置し、前記左右の側壁部に両端部がそれぞれ連結されたバーとから構成されるベルト調節具が知られている（例えば特許文献１の正面図及びＡ−Ａ断面図参照）。
【先行技術文献】
【特許文献】
【０００３】
【特許文献１】意匠登録第670798号公報
【発明の概要】
【発明が解決しようとする課題】
【０００４】
しかし、上記した従来のベルト調節具は、ベルトの長さの調節を主目的とし、緩みづらくするためには、連結部とバーとの間隔を狭くする必要があったが、当該間隔を狭くすると、ベルトが通しづらかったり、又、ベルトの厚みに対する許容性が狭くなってしまうという問題点があった。
そこで、各請求項にそれぞれ記載された各発明は、上記した従来の技術の有する問題点に鑑みてなされたものであり、その目的とするところは、次の点にある。
（請求項１）
請求項１に記載の発明は、次の点を目的とする。
【０００５】
すなわち、請求項１に記載の発明は、一対の連結部の斜面とバーの斜面とで、ベルトを通す一対の挿通路を形成し、又、バーの上側を通過させて一対の挿通路に通したベルトを、略Ω型に屈曲させることで、ベルトの厚みに対する許容性を向上できるばかりでなく、ベルトの緩みを防止できるようにしたものである。
（請求項２）
請求項２に記載の発明は、上記した請求項１に記載の発明の目的に加え、次の点を目的とする。
【０００６】
すなわち、請求項２に記載の発明は、先に通したベルトと、当該ベルトを折り返した後、先に通したベルトに通したベルトに積み重ねられて後に通すベルトとを、上下のエッジにより確実に保持することができるようにしたものである。
（請求項３）
請求項３に記載の発明は、上記した請求項１又は請求項２に記載の発明の目的に加え、次の点を目的とする。
【０００７】
すなわち、請求項３に記載の発明は、バーの上側のエッジから連結部の底の内側のエッジまでの長さ方向に、距離を持ち、当該距離は、バーの斜面と連結部の斜面までの長さ方向の距離より短く設定することで、バーの斜面と連結部の斜面との間の挿通路において、ベルトの厚みに対する許容性を向上できるばかりでなく、バーの上側のエッジから連結部の底の内側のエッジまでの距離を短くすることで、ベルトの緩みを確実に防止できるようにしたものである。
（請求項４）
請求項４に記載の発明は、上記した請求項１〜３のいずれか１項に記載の発明の目的に加え、次の点を目的とする。
【０００８】
すなわち、請求項４に記載の発明は、ベルトを枠体に対して略垂直に傾けることで、容易にベルトを調整することができるようにしたものである。
逆にいうと、請求項４に記載の発明によれば。ベルトを略垂直に傾けない限り、ベルトが基本的に緩まないようにすることができる。
【課題を解決するための手段】
【０００９】
各請求項にそれぞれ記載された各発明は、上記した各目的を達成するためになされたものであり、各発明の特徴点を図面に示した発明の実施の形態を用いて、以下に説明する。
なお、カッコ内の符号は、発明の実施の形態において用いた符号を示し、本発明の技術的範囲を限定するものではない。
また、図面番号も、発明の実施の形態において用いた図番を示し、本発明の技術的範囲を限定するものではない。
【００１０】
請求項１に記載の発明は、次の点を特徴とする。
第１に、例えば図１、図２及び図７に示すように、枠体の周囲の対向する一対の連結部(40,50)の斜面(42,52)と、一対の連結部(40,50)の中間に位置するバー(60)の斜面(62)で、ベルト(20)を通す一対の挿通路(11,12)を形成する。
第２に、例えば図１、図２及び図７に示すように、バー(60)の上側の２点のエッジ(61)にベルト(20)がそれぞれ引っ掛かり、一対の連結部(40,50)の底の内側の２点のエッジ(41,51)にベルト(20)がそれぞれ引っ掛かり、バー(60)に形成された斜面(62)と一対の連結部(40,50)に形成された斜面(42,52)により、バー(60)の上側を通過させて一対の挿通路(11,12)に通したベルト(20)を、略Ω型に屈曲させるようにしている。
（請求項２）
請求項２に記載の発明は、上記した請求項１に記載の発明の特徴点に加え、次の点を特徴とする。
【００１１】
すなわち、例えば図１、図２及び図７に示すように、ベルト(20)がバー(60)の上側を通過した後、折り返されて先に通したベルト(20)に積み重ねられてバー(60)の上側を再度、通過し、先に通したベルト(20)がバー(60)の上側の２点のエッジ(61)に、折り返されて後に通したベルト（例えば折返部22）が一対の連結部(40,50)の底側の２点のエッジ(41,51)にそれぞれ引っ掛かるようにしている。
（請求項３）
請求項３に記載の発明は、上記した請求項１又は請求項２に記載の発明の特徴点に加え、次の点を特徴とする。
【００１２】
第１に、例えば図７に示すように、バー(60)の上側のエッジ(61)から連結部(40,50)の底の内側のエッジ(41,51)までの長さ方向に、距離（ｌ）を持つ。
第２に、距離（ｌ）は、例えば図７に示すように、バー(60)の斜面(62)と連結部(40,50)の斜面(42,52)までの長さ方向の距離（ｍ）より短くしている。
（請求項４）
請求項４に記載の発明は、上記した請求項１〜３のいずれか１項に記載の発明の特徴点に加え、次の点を特徴とする。
【００１３】
すなわち、例えば図８に示すように、ベルト(20)を枠体に対して略垂直にして当該ベルト(20)を調整すると、当該ベルト(20)がバー(60)の斜面(62)を滑りながら送り出すことができるようにしている。
【発明の効果】
【００１４】
本発明は、以上のように構成されているので、以下に記載されるような効果を奏する。（請求項１）
請求項１に記載の発明によれば、次のような効果を奏する。
すなわち、請求項１に記載の発明によれば、一対の連結部の斜面とバーの斜面とで、ベルトを通す一対の挿通路を形成し、又、バーの上側を通過させて一対の挿通路に通したベルトを、略Ω型に屈曲させることで、ベルトの厚みに対する許容性を向上できるばかりでなく、ベルトの緩みを防止できる。
（請求項２）
請求項２に記載の発明によれば、上記した請求項１に記載の発明の効果に加え、次のような効果を奏する。
【００１５】
すなわち、請求項２に記載の発明によれば、先に通したベルトと、当該ベルトを折り返した後、先に通したベルトに通したベルトに積み重ねられて後に通すベルトとを、上下のエッジにより確実に保持することができる。
（請求項３）
請求項３に記載の発明によれば、上記した請求項１又は請求項２に記載の発明の効果に加え、次のような効果を奏する。
【００１６】
すなわち、請求項３に記載の発明によれば、バーの上側のエッジから連結部の底の内側のエッジまでの長さ方向に、距離を持ち、当該距離は、バーの斜面と連結部の斜面までの長さ方向の距離より短く設定することで、バーの斜面と連結部の斜面との間の挿通路において、ベルトの厚みに対する許容性を向上できるばかりでなく、バーの上側のエッジから連結部の底の内側のエッジまでの距離を短くすることで、ベルトの緩みを確実に防止できる。
（請求項４）
請求項４に記載の発明によれば、上記した請求項１〜３のいずれか１項に記載の発明の効果に加え、次のような効果を奏する。
【００１７】
すなわち、請求項４に記載の発明によれば、ベルトを枠体に対して略垂直に傾けることで、容易にベルトを調整することができる。
逆にいうと、請求項４に記載の発明によれば。ベルトを略垂直に傾けない限り、ベルトが基本的に緩まないようにすることができる。
【図面の簡単な説明】
【００１８】
【図１】ベルト保持具をベルトに装着した状態の断面図である。
【図２】ベルト保持具を斜め上方から見た斜視図である。
【図３】ベルト保持具を斜め下方から見た斜視図である。
【図４】ベルト保持具の側面図である。
【図５】ベルト保持具の平面図である。
【図６】ベルト保持具の底面図である。
【図７】ベルト保持具の断面図である。
【図８】図１に対応し、ベルトの長さを調節する際の断面図である。
【発明を実施するための形態】
【００１９】
図１中、10は、ベルト保持具に関し、ベルト20を長さ調節可能に保持することができるようにしたものである。
ベルト20は、例えば帯状に形成され、図示しないが、カメラのストラップに使用され、当該ストラップを長さ調節可能に、カメラに固定するするのに使用される。
なお、ベルト20の用途として、カメラのストラップを例示したが、これに限定されない。
【００２０】
ベルト保持具10は、いわゆるラダー形のバックルとよばれ、全体が枠体に形成され、剛性を有する熱可塑性合成樹脂で一体的に形成されている。
ベルト保持具10は、図１〜７に示すように、大別すると、次の各部を備える。
なお、次の（１）〜（４）については後述する。
（１）左右一対の側壁部30
（２）第１連結部40
（３）第２連結部50
（４）バー60
なお、ベルト保持具10の各部は、上記した（１）〜（４）に限定されない。
（側壁部30）
左右の側壁部30は、図２〜６に示すように、枠体の互いに対向する二辺から構成され、左右一対形成されている。左右の側壁部30は、離れて対向し、互いに平行に配置されている。また、左右の側壁部30は、後述するバー60の幅方向中央の中心線を基準に線対称に形成されている。
（第１連結部40）
第１連結部40は、図２、図３及び図５〜７に示すように、枠体の周囲の対向する一対の第１、第２連結部40,50の一方を構成するものである。
【００２１】
具体的には、第１連結部40は、左右の側壁部30の一端部を連結するものである。
また、第１連結部40には、図１〜３及び図５〜７に示すように、後述するバー60との間に、ベルト20が挿通可能な第１挿通路11が形成される。
第１連結部40には、大別すると、次の各部を備える。
なお、第１連結部40の各部は、次の（１）及び（２）に限定されない。
【００２２】
（１）第１エッジ41
第１エッジ41は、図１〜３及び図５〜７に示すように、当該第１連結部40の底に沿って、第１挿通路11に向かって、例えば鋭角的に突出し、ベルト20が引っ掛かるものである。
（２）第１斜面42
第１斜面42は、図２、図３及び図５〜７に示すように、第１エッジ41に連続し、バー60から離れる方向に上り傾斜している。
（第２連結部50）
第２連結部50は、図２、図３及び図５〜７に示すように、枠体の周囲の対向する一対の第１、第２連結部40,50の他方を構成するものである。
【００２３】
第２連結部50は、左右の側壁部30の他端部を連結するものである。第２連結部50は、第１連結部40と平行に位置する。第２連結部50は、第１連結部40と、後述するバー60の幅方向中央の中心線を基準に線対称に形成されている。
また、第２連結部50には、図１〜３及び図５〜７に示すように、後述するバー60との間に、ベルト20が挿通可能な第２挿通路12が形成される。第２挿通路12も、第１挿通路11と、後述するバー60の幅方向中央の中心線を基準に線対称に形成されている。
【００２４】
第２連結部50には、大別すると、次の各部を備える。
なお、第２連結部50の各部は、次の（１）及び（２）に限定されない。
（１）第２エッジ51
第２エッジ51は、図１〜３及び図５〜７に示すように、当該第２連結部50の底に沿って、第２挿通路12に向かって、例えば鋭角的に突出し、ベルト20が引っ掛かるものである。
【００２５】
（２）第２斜面52
第２斜面52は、図２、図３及び図５〜７に示すように、第２エッジ51に連続し、バー60から離れる方向に上り傾斜している。
（バー60）
バー60は、図１〜３及び図５〜７に示すように、一対の第１、第２連結部40,50の中間に位置し、後述する上側斜面62と、一対の第１、第２連結部40,50の第１、第２斜面42,52で、ベルト20を通す一対の第１、第２挿通路11,12を形成するものである。すなわち、第１連結部40と対向するバー60の上側斜面62と、当該第１連結部40の第１斜面42とで、第１挿通路11を形成している。また、第２連結部50と対向するバー60の上側斜面62と、当該第２連結部50の第２斜面52とで、第２挿通路12を形成している。
【００２６】
具体的には、バー60は、図２、図３及び図５〜７に示すように、第１連結部40と第２連結部50との間、本実施例では中央に位置し、左右の側壁部30に両端部がそれぞれ連結されている。バー60は、第１連結部40及び第２連結部50と平行に位置する。
バー60は、頂点が下方を向いた断面が略二等辺三角形に形成され、当該バー60の幅方向中央の中心線を基準に線対称に形成されている。
【００２７】
バー60には、大別すると、次の各部を備える。
なお、バー60の各部は、次の（１）及び（２）に限定されない。
（１）上側エッジ61
上側エッジ61は、図１〜３及び図５〜７に示すように、バー60の上面の両端部から、第１挿通路11及び第２挿通路12に向かってそれぞれ、例えば鋭角的に突出し、第１エッジ41又は第２エッジ51との間隔が、ベルト20を２枚重ね合わせた厚さより小さく設定され、ベルト20が引っ掛かるものである。
【００２８】
また、バー60の２点の上側エッジ61は、図１に示すように、ベルト20がそれぞれ引っ掛かり、一対の第１、第２連結部40,50の底の内側の２点の第１、第２エッジ41,51にもベルト20がそれぞれ引っ掛かり、バー60に形成された上側斜面62と一対の第１、第２連結部40,50に形成された第１、第２斜面42,52により、バー60の上側を通過させて一対の第１、第２挿通路11,12に通したベルト20を、略Ω型に屈曲させるようにしている。
【００２９】
さらに、図１に示すように、ベルト20がバー60の上側を通過した後、折り返されて先に通したベルト20に積み重ねられてバー60の上側を再度、通過し、先に通したベルト20がバー60の２点の上側エッジ61に、折り返されて後に通したベルト（例えば折返部22）が一対の第１、第２連結部40,50の底側の２点の第１、第２エッジ41,51にそれぞれ引っ掛かるようにしている。
【００３０】
また、上側エッジ61は、図７に示すように、第１、第２連結部40,50の底の内側の第１、第２エッジ41,51までの長さ方向に、距離ｌを持っている。すなわち、前記距離ｌは、上側エッジ61と、当該上側エッジ61と対向する第１エッジ41とに垂線をそれぞれ引き、当該２本の垂線の間の距離をいう。なお、第２エッジ51については、図示しないが、同様である。
【００３１】
前記距離ｌは、図７に示すように、バー60の２個の上側斜面62と、第１、第２連結部40,50の２つの第１、第２斜面42,52までの長さ方向の距離ｍより短くしている。すなわち、前記距離ｍは、上側斜面62と、当該上側斜面62と対向し、且つ略平行に位置する第１斜面42との間の距離をいう。上側エッジ61と第１エッジ41との間の距離ｌは、上側斜面62と第１斜面42との間の距離ｍよりも短く設定している。なお、図示しないが、上側エッジ61と第２エッジ51との間の距離も、上側斜面62と第２斜面52との間の距離よりも短く設定している。
【００３２】
（２）上側斜面62
上側斜面62は、図２、図３及び図５〜７に示すように、第１斜面42及び第２斜面52に対し、第１挿通路11及び第２挿通路12を挟んで対向する両側面にそれぞれ位置し、２個の上側エッジ61にそれぞれ連続し、中央に向かって略Ｖ字形に傾斜している。
２個の上側斜面62のうち、図７に示すように、第１挿通路11を挟んで第１斜面42と対向する上側斜面62は、当該第１斜面42と略平行に配置されている。また、２個の上側斜面62のうち、第２挿通路12を挟んで第２斜面52と対向する上側斜面62も、当該第２斜面52と略平行に配置されている。
【００３３】
一方、図８に示すように、ベルト20を枠体であるベルト保持具10に対して略垂直にして当該ベルト20を調整すると、当該ベルト20がバー60の上側斜面62を滑りながら送り出すことができるようにしている。
（ベルト20の装着方法）
つぎに、上記した構成を有するベルト保持具10に、ベルト20を装着する方法について、図１を用いて以下に説明する。
【００３４】
まず、図１に示すように、ベルト20の先端部を、第１連結部40の底面に沿わせ、その第１エッジ41で折り返し、その第１斜面42及びバー60の上側斜面62に沿わせて、第１挿通路11に下方から上方に向かって通す。
第１挿通路11の上側から出たベルト20の先端部を、第１挿通路11に臨む上側エッジ61で折り返し、バー60の上面に沿わせて、第２挿通路12側に導く。
【００３５】
第２挿通路12側に導いたベルト20の先端部を、第２挿通路12に臨む上側エッジ61で折り返し、その上側斜面62及び第２連結部50の第２斜面52に沿わせて、当該第２挿通路12に上方から下方に向かって通す。
第２挿通路12の下側から出た出たベルト20の先端部を、第２挿通路12に臨む第２連結部50の第２エッジ51で折り返し、当該第２連結部50の底面に沿わせて、外部に導き出す。
【００３６】
つぎに、図示しないが、カメラ本体のリング状のストラップ取付部に通して折り返し、ループ部21を形成する。
ストラップ取付部を通したベルト20の折返部22の先端部を、先に通したベルト20の上側に積み重なるように重ね合わせ、第２連結部50の底面に沿わせ、再び第２挿通路12に下側から上側に向かって通す。
【００３７】
このとき、第２連結部50の第２エッジ51と、先に通したベルト20との間に、ベルト20の折返部22の先端部を通す。
このため、ベルト20の折返部22は、第２連結部50の第２エッジ51と当接し、第２エッジ51により折り曲げられ、その第２斜面52に沿って第２挿通路12を通過する。
また、先に通したベルト20は、後から通したベルト20の折返部22を介して、第２エッジ51と対向し、当該第２エッジ51により後から通したベルト20の折返部22と平行に折り曲げられる。先に通したベルト20の折り曲げられた部分を、第２屈曲部24という。
【００３８】
つぎに、第２挿通路12の下側から出た出たベルト20の折返部22の先端部を、先に通したベルト20の上側に重ね合わせるようにして、第１挿通路11側に導く。
第１挿通路11側に導いたベルト20の折返部22の先端部を、再び第１挿通路11に上側から下側に向かって通す。
このとき、第１連結部40の第１エッジ41と、先に通したベルト20との間に、ベルト20の折返部22の先端部を通す。
【００３９】
このため、ベルト20の折返部22は、第１連結部40の第１エッジ41と当接し、第１エッジ41により折り曲げられ、その第１斜面42に沿って第１挿通路11を通過する。
また、先に通したベルト20は、後から通したベルト20の折返部22を介して、第１エッジ41と対向し、当該第１エッジ41により後から通したベルト20の折返部22と平行に折り曲げられる。先に通したベルト20の折り曲げられた部分を、第１屈曲部23という。
【００４０】
第１エッジ41により折り曲げられたベルト20の折返部22は、第１連結部40の底面に沿わせ、先に通したベルト20の上側に重ね合わせるようにして、外部に導き出す。
第１屈曲部23と、第２屈曲部24とは、図１に示すように、バー60の２つの上側斜面62に当接しながら、第１、第２エッジ41,51に沿って鋭角的に屈曲され、又、バー60の幅よりも互いに接近し、ベルト20が略Ω型に屈曲される。
【００４１】
このため、カメラ本体（図示せず）側のループ部21に張力が掛かると、後から通したベルト20の折返部22が、第１、第２連結部40,50の２つの第１、第２斜面42,52に当接しながら、第１、第２エッジ41,51に直接、食い付くことで、ベルト保持具10からの抜けが阻止される。また、先に通したベルト20も、バー60の２つの上側斜面62に当接しながら、バー60の２個の上側エッジ61に直接、食い付くことで、ベルト保持具10に対する移動が阻止される。
【００４２】
なお、後から通すベルト20の折返部22を、先に通したベルト20の上側に重ねたが、これに限定されず、下側に重ねるように、第１、第２挿通路11,12に通しても良い。このときは、先に通したベルト20と後から通すベルト20の折返部22との上下が反転し、図示しないが、先に通したベルト20は、第１、第２連結部40,50の２つの第１、第２斜面42,52に当接しながら、第１、第２エッジ41,51に直接、食い付くこととなる。また、後から通すベルト20は、バー60の２つの上側斜面62に当接しながら、バー60の２個の上側エッジ61に直接、食い付くこととなる。
（ベルト20の長さの調節方法）
つぎに、ベルト20の長さの調節方法について、図７を用いて以下に説明する。
【００４３】
ベルト20を、図７に示すように、ベルト保持具10に対して略垂直にたれ下げると、第１挿通路11に後から通した折返部22が、図１に示すように、第１エッジ41に沿って鋭角的に屈曲していたのに対し、図７に示すように、鈍角的ないし直線的に延び、ベルト20の緊張状態が緩む。同時に、先に通したベルト20の第１屈曲部23も、鈍角的ないし直線的に延びる。
【００４４】
このため、先に通したベルト20と、後から通した折返部22との重なり量、すなわち両者の重なった部分の長さを短くすると、ベルト20であるストラップの長さが伸長し、逆に両者の重なった部分の長さを長くすると、ストラップの長さが短縮される。
なお、ベルト20において、図７の向かって右側を略垂直にたれ下げて、当該ベルト20を緩めたが、逆の左側を略垂直にたれ下げたり、両側を略垂直にたれ下げても良いし、或いはベルト20をたれ下げるのでなく、ベルト20に対してベルト保持具10を傾斜させて、ベルト20を緩めても良い。
【符号の説明】
【００４５】
10  ベルト保持具
11  第１挿通路            12  第２挿通路
20  ベルト
21  ループ部              22  折返部
23  第１屈曲部            24  第２屈曲部
30  側壁部                40  第１連結部
41  第１エッジ            42  第１斜面
50  第２連結部
51  第２エッジ            52  第２斜面
60  バー
61  上側エッジ            62  上側斜面
【図１】
2014083088.tif 000003
【図２】
2014083088.tif 000004
【図３】
2014083088.tif 000005
【図４】
2014083088.tif 000006
【図５】
2014083088.tif 000007
【図６】
2014083088.tif 000008
【図７】
2014083088.tif 000009
【図８】
2014083088.tif 000010